(57)【要約】【課題】上下壁パネルの間に設置した支持レールで付帯品を支持する間仕切り壁において、付帯品から壁パネルに大きな荷重がかかっても、壁パネルが変形したり取り付け位置をずらしたりすることを防ぐ。【解決手段】床面Ｆ上に立て並べた支柱３、３の前後両側に壁パネル４、４を上下複数段に取り付けるとともに、上下の壁パネル４、４の間に支持レール５を設置し、支持レール５で書棚などの付帯品６を支持する間仕切り壁１において、支持レール５の下側の前後壁パネル４、４の間に、前後壁パネル４、４の両内面に接合して壁パネル４を内側から支持するパネル支持体７を設置する。【選択図】図３
2008069585.tif 000002
【特許請求の範囲】
【請求項１】
床面上に立て並べた支柱の前後両側に壁パネルを上下複数段に取り付けるとともに、上下の壁パネルの間に支持レールを設置し、支持レールで書棚などの付帯品を支持する間仕切り壁において、
前記支持レール直下の前側壁パネルと後側壁パネルの間に、当該前後壁パネルの両内面に接合して壁パネルを内側から支持するパネル支持体を設置したことを特徴とする間仕切り壁。
【請求項２】
下段壁パネルの上端に設けた凹溝内に支持レールの下面に設けた突部を嵌入し、上段壁パネルの下端に設けた凹溝内に支持レールの上面に設けた突部を嵌入して、壁パネルを上下に継ぎ合わせてなる請求項１に記載の間仕切り壁。
【発明の詳細な説明】
【技術分野】
【０００１】
本発明は、床面上に立て並べた支柱で壁パネルを上下複数段に支持して構成される間仕切り壁に関し、上下の壁パネルの間に支持レールを設置し、この支持レールで付帯品を支持する構成のものに関する。
【背景技術】
【０００２】
図５は書棚などの付帯品を装備した間仕切り壁の一例を示し、この間仕切り壁１００は、床面Ｆ上に立て並べた支柱１０１、１０１間に複数本の横桟１０２、１０２を平行に掛け渡し、各横桟１０２間に壁パネル１０３を上下複数段に取り付けるとともに、横桟１０２の上面に支持レール１０４を重ねて固定し、この支持レール１０４で付帯品１０５を支持するように構成したものである（例えば特許文献１参照）。
【０００３】
【特許文献１】特開２００４−２７０３３０号公報
【発明の開示】
【発明が解決しようとする課題】
【０００４】
図示した従来の間仕切り壁１００では、付帯品１０５の上面に書籍や書類などを多数載せたときに、付帯品１０５の下部１０５ａが当接する壁パネル１０３の表面に書籍類の重さ分の荷重がかかり、壁パネル１０３が凹んだり周囲のパネルとの間で不陸が生じたりするという問題があった。
【０００５】
また、図６（Ａ）に示されるような、横桟を用いずに、上下壁パネル１０３、１０３の端面を継手部材１０６で継ぎ合わして壁パネル１０３を取り付ける構成の間仕切り壁の場合、同図（Ｂ）に示されるように、壁パネル１０３の端面との係合部位を有する支持レール１０７を、継手部材１０６に代えて上下壁パネル１０３、１０３間に設置することにより、付帯品１０５を支持レール１０７で支持させることが可能である。しかし、この構成の間仕切り壁では、壁パネル１０３の左右両側辺は支柱１０１、１０１に接合して支持されるが、上下辺を支持する部材がないため、前記構成の間仕切り壁１００よりも外力に対する剛性が低く、付帯品１０５に書籍類を多数載せて壁パネル１０３に大きな荷重がかかるとパネル表面が凹み易く、さらには付帯品１０５で壁パネル１０３が押されて上下壁パネル１０３、１０３との継ぎ合わせが前後にずれてしまい、壁面の見栄えを悪くすることがあった。
【０００６】
本発明は従来技術の有するこのような問題点に鑑み、上下の壁パネルの間に設置した支持レールで付帯品を支持する間仕切り壁において、付帯品から壁パネルに大きな荷重がかかっても、壁パネルが変形したり取り付け位置がずれたりすることのないようにすることを課題とする。
【課題を解決するための手段】
【０００７】
前記課題を解決するため本発明は、床面上に立て並べた支柱の前後両側に壁パネルを上下複数段に取り付けるとともに、上下の壁パネルの間に支持レールを設置し、支持レールで書棚などの付帯品を支持する間仕切り壁において、前記支持レール直下の前側壁パネルと後側壁パネルの間に、当該前後壁パネルの両内面に接合して壁パネルを内側から支持するパネル支持体を設置したことを特徴とする。
前記間仕切り壁は、下段壁パネルの上端に設けた凹溝内に支持レールの下面に設けた突部を嵌入し、上段壁パネルの下端に設けた凹溝内に支持レールの上面に設けた突部を嵌入して、壁パネルを上下に継ぎ合わせて構成することができる。この構成では支柱間に取り付ける横桟は不要である。
【０００８】
これによれば、壁パネルの内面にパネル支持体を接合させてあるので、重量物を載せた付帯品から壁パネルの表面に荷重がかかっても、パネル支持体が内側から壁パネルを支持して壁パネルが凹んだり内側へ位置をずらしたりすることを防止し、壁パネルは鉛直に保持される。また、支持レールを挟んで上下壁パネルの端部を継ぎ合わす構成の間仕切り壁では、前後壁パネルの間にパネル支持体を設置することで外力に対する剛性が高められ、壁パネルが付帯品から大きな荷重を受けても変形することはなく、上下壁パネルの継ぎ合わせが前後にずれることもない。
【０００９】
パネル支持体は、例えば鋼板を前後壁パネルの両内面に接合するように略Ｕ字形に折り曲げて形成することができる。また、パネル支持体は、壁パネルの左右両側辺に亘る長さに形成して、前後壁パネルの間に水平に設置して固定することができる。帯状に形成したパネル支持体を、壁パネルの付帯品が当たる部分にのみ設置してもよい。
【発明を実施するための最良の形態】
【００１０】
本発明の好適な一実施形態を図面を参照して説明する。
図１は本発明の一実施形態の間仕切り壁の外観図、図２は図１のＩＩ−ＩＩ線に沿った間仕切り壁の横断面図、図３は間仕切り壁の縦断面図、図４は間仕切り壁の要部を破断して示した図である。
【００１１】
図１に示されるように本形態の間仕切壁１は、床面Ｆに設置した床レール２上に支柱３、３を立て並べ、支柱３、３の前後両側から横長の壁パネル４、４を各支柱３、３間に架け渡し、上下複数段に並べて取り付けるとともに、上下の壁パネル４、４の間に支持レール５を設置して支持レール５で付帯品６を支持させ、さらに、間仕切り壁１の内側であって、支持レール５の下側に取り付けられた前側の壁パネル４と後側の壁パネル４の間に、両壁パネル４、４の内面に接合してパネル面を内側から支持するパネル支持体７を設置した構成のものである。
【００１２】
より詳しくは、各支柱３は、床レール２内に所定間隔を開けて立設させ、上部に天井面から吊下した天井レール８を装着して、床面Ｆ上に固定してある。
【００１３】
壁パネル４は、図３及び図４に示されるように、パネル材４１の上下両端部に断面略Ｃ字形を呈するフレーム４２を取り付け、周面をカバー材４３で一体に覆って形成してある。
フレーム４２は、その内側がパネル裏面側に開口した凹部４２ａとなっており、この凹部４２ａに後述するパネル支持体７の係合折れ部７２を係合して固定するように設けてある。また、フレーム４２は、その端面に凹溝４２ｂが形成されており、上下に並べた壁パネル４、４の互いに上下に突き合う凹溝４２ｂ、４２ｂ内に、後述する支持レール５の上下突部５２、５３を嵌入してフレーム４２、４２が上下に連結し、上下の壁パネル４、４同士が一体に継ぎ合わさるように設けてある。
壁パネル４は、図２に示されるように、左右に隣接する壁パネル４とともに側辺を支柱３の表面に接合させ、カバー材４３側端の折り返し片４３ａに目地金具９を係合させた状態で目地金具９の外側からネジ１０を支柱３にねじ入れて支柱３、３に取り付けられる。左右壁パネル４、４間の継ぎ目には目地棒１１が装着される。
【００１４】
支持レール５は、図３に示されるように、支柱３、３の側面間に亘る長さを有する板材の両側に、後述する付帯品６の突条６１ａが係合する凹溝５１、５１を形成し、両凹溝５１、５１の上下両面に、当該板材の長手両端に亘って伸びた突部５２、５３を一体に設けて形成してある。
支持レール５は、支柱３、３間に取り付けられた前後の壁パネル４、４の前記フレーム端面の凹溝４２ｂに、下側突部５３を嵌め入れて前後壁パネル４、４上に設置され、さらにその上に上段の壁パネル４を載せ、そのフレーム端面の凹溝４２ｂ内に上側突部５２を嵌め入れることにより、上下のフレーム４２、４２が支持レール５を挟んで連結し、上下の壁パネル４、４同士が一体に継ぎ合わさるように設けてある。
【００１５】
付帯品６は、図３に示されるように、後端に支持レール５の凹溝５１内に係入する突条６１ａを突設させた枠体６１上に棚板６２を一体に固定して形成してある。付帯品６は、突条６１ａを前記凹溝５１に係合させて支持レール５に支持させた状態で、棚板６２が壁パネル４の前面に水平に支持され、枠体６１の下端部６１ｂは壁パネル４の表面に当接するようになっている。
【００１６】
パネル支持体７は、支柱３、３の側面間に亘る長さを有する長尺鋼板を長手方向に沿って折り曲げて形成してある。より詳しくは、その下部に略Ｕ字状に折り返した直角に屈曲した支持折れ部７１を設け、上部に前記壁パネル４のフレーム４２の凹部４２ａ内に係合する係合折れ部７２を設けて形成してある。
パネル支持体７は、その上部の係合折れ部７２を前記壁パネル４のフレーム４２の凹部４２ａ内に差し入れて係合させることにより壁パネル４の内側に水平に固定され、下部の支持折れ部７１は前後の壁パネル４、４の両内面にぴったりと密着して接合するように設けてある。
【００１７】
これらの部材からなる本形態の間仕切り壁１の施工は、先ず、床面Ｆ上に床レール２を設置し、床レール２内に支柱３、３を立て並べ、下側から壁パネル４、４を支柱３、３の前後に順次取り付ける。この際、前後どちらかの壁パネル４のフレーム４２にパネル支持体７を係合させて固定し、前後壁パネル４、４の間にパネル支持体７を設置しておく。
下段の壁パネル４、４を取り付けたならば、その上端面の凹溝４２ｂ、４２ｂに下側突部５３を嵌め入れて支持レール５を設置し、その上に上段の壁パネル４、４を、その凹溝４２ｂ内に支持レール５の上側突部５２を嵌め入れて載せ、上下の壁パネル４、４同士を支持レール５を挟んで面一に継ぎ合わせて支柱３、３に取り付ける。上段に取り付ける前後どちらかの壁パネル４のフレーム４２には、前記と同様にパネル支持体７を係合させて固定し、前後壁パネル４、４の間にパネル支持体７を設置しておく。
以降、同様にして壁パネル４、４を多段に取り付け、最上段の壁パネル４の上部に天井レール８を装着し、支持レール５の凹溝５１内に付帯品６の突条６１ａを嵌め入れ、付帯品６を支持レール５に支持させることにより取り付けが完了する。
【００１８】
このように構成された本形態の間仕切り壁１によれば、前後の壁パネル４、４の間にパネル支持体７を設置し、パネル支持体７の支持折れ部７１を両パネルの内面に接合させてあるので、付帯品６に重量物を載せたため、パネル表面に当接する付帯品６の枠体下端部６１ｂから壁パネル４に内方向への大きな荷重がかかっても、パネル支持体７が内側から壁パネル４を支持して、壁パネル４が凹んだり内側へ位置をずらしたりすることを防ぎ、上下の壁パネル４、４は当初に継ぎ合わせた位置に確実に保持され、間仕切り壁１のパネル面を鉛直に保持することできる。
【００１９】
なお、以上の説明では、横桟を用いずに壁パネルを取り付ける形態を示したが、横桟を用いて構成される間仕切り壁においても、パネル支持体を設置することにより付帯品から受ける荷重による壁パネルの変形を防止することが可能である。また、間仕切り壁の構成部材である、壁パネル、支持レール、付帯品及びパネル支持体の形態は一例であり、本発明はこれらの形態に限定されず、他の適宜な形態で構成可能である。
【図面の簡単な説明】
【００２０】
【図１】本発明の一実施形態の間仕切り壁の外観図である。
【図２】図１のＩＩ−ＩＩ線に沿った間仕切り壁の横断面図である。
【図３】図１の間仕切り壁の縦断面図である。
【図４】図１の間仕切り壁の要部を破断して示した図である。
【図５】（Ａ）、（Ｂ）は従来の一例の間仕切り壁の外観図と要部縦断面である。
【図６】（Ａ）、(Ｂ)は従来の他の例の間仕切り壁の要部縦断面図である。
【符号の説明】
【００２１】
１  間仕切り壁、２  床レール、３  支柱、４  壁パネル、５  支持レール、６  付帯品、７  パネル支持体、８  天井レール、９  目地金具、１０  ネジ、１１  目地棒
【図１】
2008069585.tif 000003
【図２】
2008069585.tif 000004
【図３】
2008069585.tif 000005
【図４】
2008069585.tif 000006
【図５】
2008069585.tif 000007
【図６】
2008069585.tif 000008